(57)【要約】      （修正有）【課題】複数の作動用電動弁を重複することなく順次起動する場合のインターバル時間を適切に設定して制御遅れを抑制可能とする。【解決手段】予作動弁制御盤３４は、所定の起動条件を判別した場合に、複数の作動用電動弁２４−１〜２４−ｎを、動作の重複を回避するインターバル時間をおいて順次起動制御して開放位置に順次動作させる。予作動弁制御盤３４は、複数の作動用電動弁２４−１〜２４−ｎに順次起動して全開位置と全閉位置との間の動作時間を計測してその中の最大動作時間を検出し、この最大動作時間に基づいて決定したインターバル時間を設定する。【選択図】図２
2015084824.tif 000002
【特許請求の範囲】
【請求項１】
遠隔操作により開閉動作する複数の作動用電動弁と、
所定の起動条件を判別した場合に、閉鎖位置と開放位置との間で前記複数の作動用電動弁を、動作の重複を回避する所定のインターバル時間をおいて順次起動制御して動作させる制御部と、
を備えた消火設備に於いて、
前記制御部に、
前記複数の作動用電動弁を起動制御して閉鎖位置と開放位置との間の動作時間を計測すると共に計測した複数の動作時間の中から最大動作時間を検出する動作時間計測部と、
前記動作時間計測部で検出した前記最大動作時間に基づいて決定したインターバル時間を前記制御部に設定するインターバル時間設定部と、
を設けたことを特徴とする消火設備。
【請求項２】
請求項１記載の消火設備に於いて、前記インターバル時間設定部は、前記最大動作時間に所定の余裕時間を加えたインターバル時間を求めて前記制御部に設定することを特徴とする消火設備。
【発明の詳細な説明】
【技術分野】
【０００１】
本発明は、火災感知器による火災検出時に予作動弁を開放して２次側配管に加圧消火用水を供給した後にスプリンクラーヘッドの作動で放水させる予作動式スプリンクラー消火設備などの消火設備に関する。
【背景技術】
【０００２】
従来、スプリンクラーヘッドの破損などによる誤放水を防止する消火設備として例えば予作動式のスプリンクラー消火設備が知られている。
【０００３】
予作動式スプリンクラー消火設備は、防護区画毎に設置した予作動弁装置、閉鎖型のスプリンクラーヘッド、火災感知器及び予作動弁制御盤で構成される。スプリンクラーヘッドを接続した予作動弁装置の２次側配管には加圧消火用水又は圧縮空気を充填しており、火災感知器により火災を検出した場合（シングルインターロック制御）、または火災検出とスプリンクラーヘッド作動による減圧検出の両方を判別した場合（ダブルインターロック制御）、予作動弁装置を開放してスプリンクラーヘッドから加圧消火用水を放水させる。
【０００４】
一方、スプリンクラーヘッドが破損した場合は、火災感知器による火災発報が判別されていないことから予作動弁装置の開放は行われず、誤放水を確実に防止することができる。
【０００５】
予作動弁装置は、開閉駆動機構を備えた本弁として機能する予作動弁と、予作動弁制御盤からの制御信号により遠隔的に開閉制御を受けて予作動弁を開閉させる作動電動弁を備えている。作動電動弁には全開位置と全閉位置を検出するリミットスイッチを設けており、予作動弁制御盤の起動制御により作動電動弁のモータに駆動電圧を印加して開動作を行い、開動作中に全開位置を検出したらモータ駆動を停止して全開位置に停止している。また、作動電動弁を全開位置に駆動した後に、予作動制御盤の復旧起動制御により、作動電動弁のモータに極性を切り替えて駆動電圧を印加することで、モータの回転方向を切替えて閉動作を行い、閉動作中に全閉位置を検出したモータ駆動を停止して全閉位置に停止して復旧するようにしている。
【０００６】
ところで、予作動式スプリンクラー消火設備にあっては、防護区画毎に予作動弁装置を設置しており、例えば二箇所の防護区画について火災発報とスプリンクラーヘッド作動による減圧検出の両方を判別した場合、各防護区画に対応して設けている二台の予作動弁装置の作動用電動弁を予作動制御盤により起動制御する場合がある。
【０００７】
しかし、予作動弁制御盤は予作動弁装置を所定の台数以下で制御することを前提に作動電動弁の駆動回路及び信号線を決めており、このため予作動制御盤から複数の作動用電動弁を起動制御する場合には、複数の作動用電動弁の動作が重複しないように、所定のインターバル時間を置いて順次起動し、一回の起動制御で流す駆動電流を制限している。
【０００８】
また予作動式スプリンクラー消火設備を点検する場合、火災感知器を試験発報すると共に末端試験弁を開放操作してスプリンクラーヘッドが作動したと同じ状態を作り出し、これにより予作動弁制御盤は、火災感知器による火災検出とスプリンクラーヘッド作動による減圧検出の両方を判別することで、予作動弁装置の作動用電動弁を起動制御して正常に動作することを確認しており、点検を終了して一斉復旧の操作指示を受けた場合、所定のインターバル時間をおいて複数の作動用電動弁を順次復旧起動して全開位置から全閉位置に動作し、一回の復旧起動制御で流す駆動電流を制限している。
【先行技術文献】
【特許文献】
【０００９】
【特許文献１】特開平４−１８９３７２号公報
【特許文献２】特開平４−２７６２７１号公報
【発明の概要】
【発明が解決しようとする課題】
【００１０】
しかしながら、動作が重複しないように複数の作動用電動弁を順次起動する場合のインターバル時間は、設計値として提供された作動用電動弁の動作時間に対し十分に余裕のある長めの時間を予め設定しており、作動用電動弁の実際の動作時間に対しインターバル時間が長いため、複数の作動電動弁を順次起動制御して開放するのに時間がかかり、予作動弁装置の開放が遅れることで、スプリンクラーヘッドからの放水量が一時的に落ち込んで初期消火に支障を来たす可能性がある。
【００１１】
また、点検終了後に、全開位置に制御した複数の作動用電動弁を順次起動制御して全閉位置に復旧させる場合にも、作動用電動弁の実際の動作時間に対しインターバル時間が長いため、その分、復旧を完了するまでの時間が長くなる。
【００１２】
このような問題を解決するためには、一の作動電動弁を起動制御して動作し、全開位置又は全閉位置への到達を検出したら次の作動電動弁を起動制御すればよい。しかしながら、作動用電動弁を起動制御して全開位置又は全閉位置への到達を検出して次の作動電動弁を起動制御する順次起動制御は、インターバル時間をおいた順次起動制御に比べ、全開位置の検出を判別する必要があることから制御処理が複雑となり、全開位置の検出機能に障害が発生すると、順次行っている複数の作動用電動弁の起動制御が途中で止まり、信頼性に支障を来たす可能性が残る。
【００１３】
本発明は、複数の作動用電動弁の動作時間が重複しないように順次起動する場合のインターバル時間の設定を適切に行って制御遅れを抑制可能とする消火設備を提供することを目的とする。
【課題を解決するための手段】
【００１４】
本発明は、
遠隔操作により開閉動作する複数の作動用電動弁と、
所定の起動条件を判別した場合に、閉鎖位置と開放位置との間で複数の作動用電動弁を、動作の重複を回避する所定のインターバル時間をおいて順次起動制御して動作させる制御部と、
を備えた消火設備に於いて、
制御部に、
複数の作動用電動弁を起動制御して閉鎖位置と開放位置との間の動作時間を計測すると共に計測した複数の動作時間の中から最大動作時間を検出する動作時間計測部と、
動作時間計測部で検出した最大動作時間に基づいて決定したインターバル時間を制御部に設定するインターバル時間設定部と、
を設けたことを特徴とする。
【００１５】
ここで、インターバル時間設定部は、最大動作時間に所定の余裕時間を加えたインターバル時間を求めて制御部に設定する。
【発明の効果】
【００１６】
本発明の消火設備によれば、防護区画毎に予作動弁装置を設けた予作動式スプリンクラー消火設備を例にとると、複数の防護区画で例えば火災感知器による火災検出とスプリンクラーヘッド作動による減圧検出の二つの起動条件を判別した場合、全閉位置にある複数の作動用電動弁を、動作の重複を回避する所定のインターバル時間をおいて順次起動制御して動作し、この場合のインターバル時間を、消火設備に設置している全ての作動用電動弁を全開位置と全閉位置との間で動作して計測した動作時間の中から検出した最大動作時間に基づいて決定して設定するようにしたため、インターバル時間と実際の動作時間とのずれを必要最小限に抑制することを可能とし、複数の予作動弁装置に設けた作動用電動弁を動作を重複することなく順次起動した場合の制御遅れを抑制することで、複数の予作動弁装置の順次開放による初期消火を確実に行うことを可能とする。
【００１７】
また、点検終了後に、複数の作動用電動弁を、インターバル時間をおいて順次起動制御して復旧する場合にも、動作の重複を回避するインターバル時間と実際の動作時間とのずれを必要最小限に抑制することを可能とし、複数の予作動弁装置の復旧に要する時間を短縮可能とする。
【図面の簡単な説明】
【００１８】
【図１】予作動式スプリンクラー消火設備を例にとって概略を示した説明図
【図２】図１の予作動弁制御盤の機能構成の実施形態を示したブロック図
【図３】予作動式スプリンクラー消火設備の制御動作を示したフローチャート
【図４】定常状態で制御弁を開放位置に制御するスプリンクラー消火設備の概略を示した説明図
【発明を実施するための形態】
【００１９】
［予作動式スプリンクラー消火設備の概要］
図１は、本発明の消火設備の一例として、湿式予作動スプリンクラー消火設備の概要を示した説明図である。図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００２０】
消火ポンプ１０に対しては呼水槽１７を設ける。また消火ポンプ１０の起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下した減圧を検出してポンプ制御盤１４に減圧検出信号を出力し、これによってモータ１２を駆動して消火ポンプ１０を起動する。
【００２１】
給水本管１６からは建物の例えば階別の防護区画毎に分岐管２２を引き出している。分岐管２２の分岐部分には予作動弁装置２４を設けている。予作動弁装置２４の２次側の分岐管２２には閉鎖型のスプリンクラーヘッド２６を設けている。またスプリンクラーヘッド２６を設置した防護区画には火災感知器３６を設置し、火災感知器３６からの感知器線を、自火報受信機３５を介して予作動弁制御盤３４に接続している。分岐管２２の末端側には末端試験弁２８を設け、その２次側を、オリフィス３０を介して排水管３２に接続している。
【００２２】
予作動弁装置２４は、予作動弁４０、作動電動弁４２、減圧検出スイッチ４４及び流水検知スイッチ４６を備える。予作動弁４０の開放は作動電動弁４８により行う。作動電動弁４８は通常の監視状態では閉鎖状態にある。作動電動弁４８を予作動弁制御盤３４からの開放制御信号により開動作すると、予作動弁４０が開放可能状態となる。
【００２３】
この状態で、２次側配管に接続しているスプリンクラーヘッド２６が火災による熱気流を受けて開放すると、作動したスプリンクラーヘッド２６からの放水により２次側の圧力が低下して予作動弁４０が開放し、１次側から２次側に加圧消火用水を供給する。
【００２４】
予作動弁４０が開放すると、その１次側に接続している給水本管１６の圧力も低下し、この減圧を圧力タンク１８に設けている圧力スイッチ２０で検出して、ポンプ制御盤１４がポンプ１０を起動する。予作動弁４０の２次側に設けているスプリンクラーヘッド２６の作動による減圧は、減圧検出スイッチ４２で検出する。また予作動弁４０の開放による２次側への流水は流水警報圧力スイッチ４６で検出する。
【００２５】
［予作動弁制御盤の構成］
（予作動弁制御盤の概要）
図２は予作動弁制御盤の機能構成の実施形態を示したブロック図である。
【００２６】
図２に示すように、予作動弁制御盤３４は、制御部４８、操作部５０、表示部５２、警報部５４を備え、図１に示した例えば階別の防護区画毎に、予作動弁装置２４−１〜２４−ｎを接続している。また、予作動弁装置２４−１〜２４−ｎに対応して予作動弁制御盤３４に駆動部５６を設けている。なお、予作動弁装置２４−１〜２４−ｎを区別しない場合は予作動弁装置２４とする。
【００２７】
予作動弁装置２４−１〜２４−ｎは、図１に示した火災感知器３６、作動用電動弁４２、減圧検出スイッチ４４及び作動用電動弁４２を取り出して示し、更に、作動用電動弁４２の全開位置と全閉位置を検出する位置検出器５８を設けている。なお、火災感知器３６は予作動弁装置の防護区画に設置しているが、説明の都合上、予作動弁装置の中に示している。
【００２８】
制御部４８は、例えばプログラムの実行により実現される機能であり、ハードウェアとしてはＣＰＵ、メモリ、各種の入出力ポート等を備えたコンピュータ回路等を使用する。
【００２９】
制御部４８に対しては防護区画毎の予作動弁装置２４−１〜２４−ｎ側に設けた火災感知器３６を感知器線により接続し、また減圧検出スイッチ４４と位置検出器５８を信号線により接続し、更に、駆動部５６を介して作動用電動弁４を制御線により接続している。
【００３０】
また、制御部４８には、プログラムの実行により実現される機能として、動作時間計測部６０とインターバル時間設定部６２を設けている。表示部５２は、予作動弁制御盤３４の制御動作に必要な各種の表示器を設けている。警報部５４には火災警報、障害警報を音響出力するスピーカなどを設けている。
【００３１】
（制御部の構成）
予作動弁制御盤３４の制御部４８は、ダブルインターロック制御として、防護区画毎に、火災感知器３６による火災検出と減圧検出スイッチ４４による減圧検出の両方を判別した場合に、予作動弁装置２４に設けた作動用電動弁４２に開放制御信号を出力して遠隔的に開放制御し、これに伴い予作動弁４０を開放動作してスプリンクラーヘッド２６から加圧消火用水を散水させる制御を行う。
【００３２】
また、制御部４８は、別パターンとして、火災感知器による火災検出ができない障害検出、例えば伝送障害、断線、短絡、連動停止、商用電源断などの障害検出と減圧検出器による減圧検出の両方を判別した場合に作動電動弁４２に開放制御信号を出力して開放制御し、これにより予作動弁装置２４を開放動作してスプリンクラーヘッド２６から加圧消火用水を放水させる。
【００３３】
また、制御部４８は、複数の防護区画について、火災感知器３６による火災検出と減圧検出スイッチ４４による減圧検出の両方を判別した場合に、動作の重複を回避する所定のインターバル時間Ｔｉをおいて、複数の予作動弁装置２４に設けた作動用電動弁４２に開放制御信号を順次出力して遠隔的に開放制御し、これに伴い予作動弁４０を開放動作してスプリンクラーヘッド２６から加圧消火用水を散水させる制御を行う。
【００３４】
また、制御部４８は、設備の点検により複数の予作動弁装置２４を試験的に動作した後に行う一斉復旧操作の受付けを検出した場合に、動作の重複を回避する所定のインターバル時間Ｔｉをおいて、複数の予作動弁装置２４に設けた作動用電動弁４２に閉鎖制御信号を順次出力して遠隔的に閉鎖制御し、これに伴い予作動弁４０を閉鎖動作して定常状態に復旧させる制御を行う。
【００３５】
（動作時間測定部とインターバル時間設定部の構成）
制御部４８に設けた動作試験部６０は、例えば点検モードを設定した状態で、全ての予作動弁装置２４に設けた全閉位置にある作動用電動弁４２の各々に順次起動信号を出力して、位置検出器５８により全開位置を検出するまでの動作時間Ｔｄを計測し、その中の最大動作時間(Ｔｄ)ｍａｘを求める。なお、作動用電動弁４２の全閉位置から全開位置までの動作時間は、全閉位置から全開位置までの動作時間に略同じになることから、何れか一方を計測すればよい。また、測定精度を高めるためには両方の動作時間を測定しても良い。
【００３６】
制御部４８に設けたインターバル時間設定部６２は、動作時間計測部６０で求めた最大動作時間(Ｔｄ)ｍａｘに基づいて求めたインターバル時間Ｔｉを制御部４８に設定する。インターバル時間設定部６２は、例えば、最大動作時間(Ｔｄ)ｍａｘに所定の余裕時間ΔＴを加えたインターバル時間Ｔｉ、即ち
Ｔｉ＝(Ｔｄ)ｍａｘ＋ΔＴ
を制御部４８に設定する。
【００３７】
このようなインターバル時間Ｔｉの設定により、制御部４８は、複数の防護区画で例えば火災感知器３６による火災検出とスプリンクラーヘッド２６の作動による減圧検出を判別した場合、全閉位置にある複数の作動用電動弁４２を、所定のインターバル時間Ｔｉをおいて順次起動制御して動作するが、この場合のインターバル時間Ｔｉを、全ての作動用電動弁４２を全開位置と全閉位置との間で動作して計測した最大動作時間（Ｔｄ）ｍａｘに基づいて設定しているため、インターバル時間Ｔｉと実際の動作時間とのずれを必要最小限に抑制することを可能とし、複数の予作動弁装置２４に設けた作動用電動弁４２を動作を重複することなく順次起動した場合の制御遅れを抑制することで、複数の予作動弁装置２４の順次開放による初期消火を確実に行うことを可能とする。
【００３８】
また、制御部４８は、点検終了後の担当者による一斉復旧操作の受付けを検出した場合、点検を行った複数の予作動弁装置２４の作動用電動弁４２をインターバル時間Ｔｉを置いて順次起動制御して復旧する場合にも、動作の重複を回避するインターバル時間Ｔｉと実際の動作時間とのずれを必要最小限に抑制することを可能とし、複数の予作動弁装置２４の復旧に要する時間を短縮可能とする。
【００３９】
［予作動式スプリンクラー消火設備の制御動作］
図３は予作動式スプリンクラー消火設備で火災が発生した場合の制御動作を示したフローチャートである。なお図３にあっては、予作動弁制御盤３４の処理をブロックで示し、それ以外のイベントや操作などについては二重のブロックで示している。また、制御動作に伴う機器は図１及び図２を参照している。
【００４０】
図３に示すように、ステップＳ１（以下「ステップ」は省略）で火災が発生した場合、Ｓ２で火災感知器３６が火災を検出し、Ｓ３で予作動弁制御盤３４の制御部４８が所定時間の蓄積動作を行い、蓄積時間を経過しても火災検出が継続している場合は、Ｓ４で火災検出を判別する。
【００４１】
一方、Ｓ５でスプリンクラーヘッド２６が火災による熱気流を受けて作動すると、Ｓ６で予作動弁４０の２次側配管内の減圧が発生し、これをＳ７のように減圧検出スイッチ４４が作動して減圧検出信号を出力する。
【００４２】
予作動弁制御盤３４の制御部４８は減圧検出スイッチ４４からの減圧検出信号を受信して減圧検出を判別し、これによって火災検出と減圧検出の両方を判別することでアンド条件が成立し、作動用電動弁４２に開制御信号を出力して、Ｓ８で作動電動弁４２を開放させる。
【００４３】
この場合、制御部４８は、複数の防護区画に設けた火災感知器３６による火災検出と減圧検出スイッチ４４による減圧検出を判別した場合には、予め設定しているインターバル時間Ｔｉをおいて複数の作動電動弁４２に開制御信号を順次出力して、Ｓ８で複数の作動電動弁４２を順次開放させる。
【００４４】
作動電動弁４２が開放すると、Ｓ９に示す予作動弁４０の開放が行われる。予作動弁４０が開放すると流水検知スイッチ４６が作動し、流水検出信号を出力する。続いてＳ１１で予作動弁４０の開放に伴い１次側配管内即ち給水配管１６の圧力低下が発生し、これに伴い圧力タンク１８の圧力スイッチ２０がＳ１２に示すように作動し、Ｓ１３で消火ポンプ１０が起動することで加圧消火用水が供給され、開放状態にある予作動弁装置２４を介して、作動しているスプリンクラーヘッド２６から消火用水が放水され、Ｓ１４の消火が行われる。
【００４５】
続いてＳ１５で消火を確認したならば、Ｓ１６で図４に示した操作部１０２の予作動弁閉鎖スイッチ１６２を操作（復旧操作）することで、作動電動弁４８の閉鎖をＳ１６で行う。
【００４６】
ここで、複数の予作動弁装置２４を開放動作していた場合、制御部５６は、開放動作した複数の予作動弁装置２４に設けている作動用電動弁４２に、予め設定しているインターバル時間Ｔｉをおいて開制御信号を順次出力して、Ｓ８で複数の作動電動弁４２を順次閉鎖させる。
【００４７】
作動電動弁４２が閉鎖すると、予作動弁４０の閉鎖動作がＳ１７で行われ、これに伴い、流水警報用圧力スイッチ４６がＳ１８で復旧し、Ｓ１９で放水停止に至る。
【００４８】
［開放位置を定常位置とする消火設備］
図４は定常状態で作動電動弁を開放位置に制御する湿式スプリンクラー消火設備の概略を示した説明図である。
【００４９】
図４に示すように、消火ポンプ１０、モータ１２、ポンプ制御盤１４、水源水槽１５、給水本管１６の構成は図１の実施形態と同様になる。
【００５０】
給水本管１６からは建物の階ごとに、作動電動弁として機能する制御弁１６０及び流水検知装置１６２を介して分岐管２２を引き出しており、流水検知装置１６２の２次側の分岐管には閉鎖型のスプリンクラーヘッド２６を接続している。
【００５１】
制御弁１６０はモータ駆動により開閉制御できる電動弁を使用する。制御弁１００は定常監視状態で開放位置に保持し、開放位置が定常位置となる。このため給水本管３２の管内圧力は、分岐管２２に設けた開放状態にある制御弁１００及び流水検知装置１０２を通って２次側のスプリンクラーヘッド２６まで供給されている。なお、制御弁１００としては、図１に示した作動用電動弁４２を設けた予作動弁４０を使用しても良い。
【００５２】
流水検知装置１０２は流水検知スイッチ１０４を備えている。流水検知スイッチ１０４は、２次側の分岐管２２に接続しているスプリンクラーヘッド２６が火災による熱を受けて作動したときの消火用水の放出によって発生する水流による弁開放又は圧力低下等を検出してオンし、流水検知信号を、消火用中継器１１２を介してスプリンクラー制御盤１１０に出力する。
【００５３】
分岐管２２の端末側には末端試験弁２８とオリフィス３０を設け、試験時に末端試験弁２８を開いて流す水流により擬似的に流水検知装置１０２を作動してポンプ運転等の試験動作を行わせる。
【００５４】
スプリンクラー制御盤１１０は消火用中継器１１２を介して制御弁１０２に対し制御信号を出力する。スプリンクラーヘッド２６の防護区画には火災感知器３６を設置し、火災検出信号を、火報用中継器１１４を介して自火報受信盤３５に出力し、自火報受信盤３５で火災が判断されると、スプリンクラー制御盤１１０に対し火災信号を移報信号として出力する。
【００５５】
スプリンクラー制御盤１１０は、設備の運用を開始する初期状態で、分岐管２２に設けている制御弁１００を開放状態となる定常位置に開制御している。火災による熱気流を受けてスプリンクラーヘッド２６が作動すると、作動したスプリンクラーヘッド２６からの放水により２次側の圧力が低下し、このときの流水により流水検知装置１６２の弁体が開いて流水検知スイッチ１０４がオンし、スプリンクラー制御盤１１０で流水検知を報知する。
【００５６】
スプリンクラーヘッド２６からの放水により２次側の圧力が低下に伴い給水本管１６の圧力も低下し、この減圧を圧力タンク１８に設けている圧力スイッチ２０で検出して、ポンプ制御盤１４がポンプ１０を始動する。
【００５７】
火災の鎮火を確認した場合は、スプリンクラー制御盤１１０による放水停止操作により制御弁１００を閉制御し、作動したスプリンクラーヘッド２６からの放水を停止し、併せてポンプ制御盤１４に指示してポンプ運転を停止する。
【００５８】
スプリンクラー制御盤１１０には、図２に示した予作動弁制御盤３４の場合と同様に、動作時間測定部６０とインターバル時間設定部６２の機能を備えた制御部４８を設けており、また、制御弁１００に対しては、図２の作動用電動弁４２の場合の同様、開放位置（全開位置）と閉鎖位置（全閉位置）を検出する位置検出器５８を設けている。
【００５９】
スプリンクラー制御盤１１０に設けた動作時間測定部６０は、例えば点検モードを設定した状態で、全ての制御弁１００に順次起動信号を出力して例えば全開位置から全閉位置に動作するまでの動作時間Ｔｄを計測し、その中の最大動作時間(Ｔｄ)ｍａｘを求める。
【００６０】
スプリンクラー制御盤１１０に設けたインターバル時間設定部６２は、最大動作時間(Ｔｄ)ｍａｘに所定の余裕時間ΔＴを加えたインターバル時間Ｔｉを求めてスプリンクラー制御盤１１０に設定する。
【００６１】
スプリンクラー制御盤１１０は、複数の防護区画でスプリンクラーヘッド２６が作動して流水検知信号が得られても火災感知器３６からの火災信号が得られない誤作動を判別した場合、全開位置にある複数の制御弁１００を、所定のインターバル時間Ｔｉをおいて順次閉鎖制御して閉鎖動作するが、この場合のインターバル時間Ｔｉを、全ての制御弁１６０を全開位置と全閉位置との間で動作して計測した最大動作時間（Ｔｉ）ｍａｘに基づいて設定しているため、インターバル時間Ｔｉと実際の動作時間とのずれを必要最小限に抑制することを可能とし、複数の制御弁１００の閉鎖動作を重複することなく順次閉鎖した場合の制御遅れを抑制し、スプリンクラーヘッド２６からの誤報水による水損被害を抑制可能とする。
【００６２】
また、スプリンクラー制御盤１１０は、制御弁１００を閉鎖する点検終了後の担当者による一斉復旧操作の受付けを検出した場合、点検を行った複数の制御弁１００をインターバル時間Ｔｉを置いて順次開放制御して復旧する場合にも、動作を重複を回避するインターバル時間Ｔｉと実際の動作時間とのずれを必要最小限に抑制することを可能とし、複数の制御弁１００の復旧に要する時間を短縮可能とする。
【００６３】
［本発明の変形例］
（シングルインターロック）
上記の実施形態は、火災感知器による火災検出と減圧検出器による減圧検出の両方を判別した場合に作動電動弁に開制御信号を出力して開制御し、当該開制御により予作動弁を開放してスプリンクラーヘッドから加圧消火用水を散水させるダブルインターロック制御の予作動式スプリンクラー消火設備を例にとっているが、火災感知器による火災検出を判別した場合に作動電動弁に開制御信号を出力して開制御し、当該開制御により予作動弁を開放してスプリンクラーヘッドから加圧消火用水を散水させるシングルインターロック制御の予作動式スプリンクラー消火設備についても、同様に適用できる。
【００６４】
このシングルインターロックの場合も、火災感知器による火災検出で作動電動弁に開制御信号を出力して開制御するパターン以外に、火災感知器による火災検出ができない障害検出、例えば伝送障害、断線、短絡、連動停止、商用電源断などの障害検出を判別した場合に、作動電動弁４８に開制御信号を出力して開制御し、当該開制御により予作動弁装置２４を開放してスプリンクラーヘッドから加圧消火用水を放水させる。
【００６５】
（２次側の圧縮空気充填又は真空引き）
また、上記の実施形態は、予作動弁装置の２次側配管に加圧消火用水を充水する場合を例に取っているが、２次側配管に圧縮空気を充填させるようにしたスプリンクラー消火設備或いは真空ポンプを使用して２次側配管のスプリンクラーヘッドの誤作動に対して負圧にして誤報水を抑制する負圧式スプリンクラー消火設備についても同様に適用できる。
【００６６】
（防火設備）
また、本発明は、延焼抑制、トンネル内の水噴霧、水幕等の防火設備の自動弁にも同様に適用することを可能とする。
【００６７】
（その他）
また、本発明はその目的と利点を損なうことのない適宜の変形を含み、更に上記の実施形態に示した数値による限定は受けない。
【符号の説明】
【００６８】
２４，２４−１〜２４−ｎ：予作動弁装置
３４：予作動弁制御盤
３６：火災感知器
４０：予作動弁
４２：作動用電動弁
４４：減圧検出スイッチ
４６:流水検知スイッチ
４８：制御部
５０:操作部
５６:駆動部
５８:位置検出器
１００：制御弁
１０２：流水検知装置
１１０：スプリンクラー制御盤
【図１】
2015084824.tif 000003
【図２】
2015084824.tif 000004
【図３】
2015084824.tif 000005
【図４】
2015084824.tif 000006